(57)【特許請求の範囲】
【請求項１】
熱可塑性繊維からなる長繊維不織布であって、該不織布中の繊維配向は、分子配向度のＭＯＲ値で１．０５以上２．０以下であり、かつ、該不織布の３％伸長時応力は、２Ｎ／５ｃｍ以上１０Ｎ／５ｃｍ以下であることを特徴とする不織布。
【請求項２】
前記不織布のタテ／ヨコ強度比は、１．５以上１０以下である、請求項１に記載の不織布。
【請求項３】
前記不織布の幅の幅寸法変化は、０％以上１０％以下である、請求項１又は２に記載の不織布。
【請求項４】
前記熱可塑性繊維はポリオレフィン系繊維である、請求項１〜３のいずれか１項に記載の不織布。
【請求項５】
前記ポリオレフィン系繊維は、ポリプロピレン系繊維である、請求項４に記載の不織布。
【請求項６】
前記熱可塑性繊維の平均単糸繊度は、０．５ｄｔｅｘ以上３．５ｄｔｅｘ以下である、請求項１〜５のいずれか１項に記載の不織布。
【請求項７】
請求項１〜６のいずれか１項に記載の不織布を用いてなる衛生材料。
【請求項８】
使い捨てオムツ、生理用ナプキン又は失禁パットの形態にある、請求項７に記載の衛生材料。
【発明の詳細な説明】
【技術分野】
【０００１】
本発明は、熱可塑性繊維からなる不織布に関する。より詳細には、本発明は、衛生材料に用いられる吸収性物品のトップシート、バックシート、サイドギャザー部などに適した、幅の寸法安定性が高く、柔軟性に優れ、さらに加工性も良い熱可塑性繊維からなる不織布に関する。
【背景技術】
【０００２】
近年、使い捨てオムツの普及はめざましく、その生産量も急増してきている。このような環境下における使い捨てオムツとして、その製造ラインでのロスの減少及び品質の安定性が重要である。オムツ製造ラインにおいて、素材である不織布の幅の寸法変化が起こると、シワ・蛇行の発生の原因となり、フィルムとの貼り合わせ工程においては、フィルムとのズレ、ホットメルト剤塗工工程では塗工幅の不足や、工程間の各ロールへのホットメルト剤の付着など様々な不具合が生じる。特に、生産量の拡大に伴い高速度化の要請が強く、設備的な工夫がされてきているが、使用材料についても高速度ラインに耐える強度だけでなく、たびたび発生する低〜高速変速時の変化に耐える寸法変化の少ない材料が必要である。
【０００３】
不織布の幅の寸法変化を抑える手段としては、熱接着温度を上げる方法や、ボンディング圧力を上げる方法、エンボス面積率を上げる方法等で不織布の繊維の接着程度を高くして寸法変化を抑えることがなされているが、何れの方法を用いても、接着程度を高くすることにより不織布の風合いは硬いものとなる。すなわち、従来の不織布の幅の寸法変化を抑える手段では、衛生材料に使用するには柔軟性が劣り、不織布の柔軟性と幅の寸法変化を両立させることは非常に困難であった。
【発明の概要】
【発明が解決しようとする課題】
【０００４】
本発明が解決しようとする課題は、衛生材料に用いられる吸収性物品のトップシート、バックシート、サイドギャザー部などに適した、幅の寸法安定性が高く、柔軟性に優れ、さらに加工性も良い熱可塑性繊維からなる不織布を提供することである。
【課題を解決するための手段】
【０００５】
本発明者らは、前記課題を解決すべく鋭意検討し実験を重ねた結果、熱可塑性繊維からなる不織布の繊維配向度の指標である分子配向度のＭＯＲ値と不織布の低伸長時の応力（３％伸長時応力）を特定範囲とし、不織布を構成する繊維の配列を製造ラインの流れ方向とすることで巻取り時にかかる張力による幅の寸法変化が小さく、不織布の生産工程や衛生材料加工工程における蛇行やシワの発生が少なく工程安定化することを見出し、本発明を完成するに至った。
【０００６】
通常衛生材料製造ラインでシートにかかる張力は、一般的には、オムツ全幅に対し、１〜６ｋｇであり、速度変化によって高速なほど高張力となるが、平均ほぼ２ｋｇ／３０ｃｍ程度であると推定される。したがって、いかに破断強力が強いものであってもラインでかかる張力で、変形し易いものであれば、速度依存性の高いものとなり、低破断強力でもライン張力で変形しにくいものであれば、走行安定性に優れたものと言える。
【０００７】
本発明者らは、不織布の生産工程において繊維が移動捕集面に堆積される際の製造ラインの流れ方向の捕集距離（以下、タテパターン長という。）がある距離以上で不織布を生産することで、繊維配向を表す分子配向度のＭＯＲ値を特定範囲に制御し、不織布を構成する繊維を製造ラインの流れ方向とすることで、巻き取り時の張力による幅の寸法変化が小さくなることを見出した。
【０００８】
さらに、不織布生産工程や衛生材料加工工程での工程安定性を向上させる目的で、工程張力等の、応力下での不織布の挙動と工程での蛇行やシワ発生の関係について鋭意検討した結果、不織布の低伸長時の応力である３％伸長時応力を制御することで走行安定性が向上することを見出した。
【０００９】
不織布生産工程や加工工程では、多段のロールを用いての走行や、不織布の高速走行により、不織布にかかる工程張力やロール周速は変動する。その変動を緩和・吸収し、不織布の蛇行やシワ発生を防止するためには、不織布の低伸張時の応力が低いことが望ましい。不織布の３％伸長時応力の値が大きいと、不織布は周速の変動に追従し難く、蛇行やシワの発生がおこり易くなる。また、３％伸長時応力の値が過小であると、工程張力によって不織布が伸びてしまい、走行が安定しない。さらに、３％伸長時応力の値を小さく制御することで、衛生材料に好適な柔軟性を保持できる。
【００１０】
すなわち、衛生材料の製造ラインにおいて、不織布の繊維配向を制御することで、工程での幅の寸法変化を抑制し、かつ、不織布の３％伸長時応力を制御することで、工程張力や速度の変動に追従・吸収し安定走行性向上を達成した。
【００１１】
すなわち、本発明は以下のとおりのものである。
［１］熱可塑性繊維からなる長繊維不織布であって、該不織布中の繊維配向は、分子配向度のＭＯＲ値で１．０５以上２．０以下であり、かつ、該不織布の３％伸長時応力は、２Ｎ／５ｃｍ以上１０Ｎ／５ｃｍ以下であることを特徴とする不織布。
【００１２】
［２］前記不織布のタテ／ヨコ強度比は、１．５以上１０以下である、前記［１］に記載の不織布。
【００１３】
［３］前記不織布の幅の幅寸法変化は、０％以上１０％以下である、前記［１］又は［２］に記載の不織布。
【００１４】
［４］前記熱可塑性繊維はポリオレフィン系繊維である、前記［１］〜［３］のいずれかに記載の不織布。
【００１５】
［５］前記ポリオレフィン系繊維は、ポリプロピレン系繊維である、前記［４］に記載の不織布。
【００１７】
［６］前記熱可塑性繊維の平均単糸繊度は、０．５ｄｔｅｘ以上３．５ｄｔｅｘ以下である前記［１］〜［５］のいずれかに記載の不織布。
【００１８】
［７］前記［１］〜［６］のいずれかに記載の不織布を用いてなる衛生材料。
【００１９】
［８］使い捨てオムツ、生理用ナプキン又は失禁パットの形態にある、前記［７］に記載の衛生材料。
【発明の効果】
【００２０】
本発明の不織布は熱可塑性繊維からなる不織布であり、繊維配向を分子配向度のＭＯＲ値で１．０５以上２．０以下に、かつ、３％伸長時応力を２Ｎ／５ｃｍ以上１０Ｎ／５ｃｍ以下とすることで、柔軟性を保持したまま、幅寸法変化が非常に小さくなり、衛生材料の加工性も非常に良好となる。
特に、生産能力を増加させるためには不織布の生産速度やオムツの生産速度の高速化が必要であり、高速化により巻取張力は一般的に高張力となるが、本発明の不織布では幅の寸法変化が低いため不織布生産収率も良好となり、また衛生材料生産ラインにおいてもフィルム貼り合わせ工程でのフィルムとのズレを軽減し、ホットメルト剤塗工では塗工幅が不足し、工程間の各ロールにホットメルト剤が付着するなどの不具合を軽減することができる。
【発明を実施するための形態】
【００２１】
以下、本発明について詳述する。
本発明の不織布を構成する熱可塑性繊維としては、例えば、ポリエチレン繊維、ポリプロピレン繊維、共重合ポリプロピレンなどのポリオレフィン系繊維、ポリエチレンテレフタレート繊維、ポリブチレンテレフタレート繊維、ポリエチレンナフタレート繊維、共重合ポリエステルなどのポリエステル系繊維、ナイロン−６繊維、ナイロン−６６繊維、共重合ナイロンなどのポリアミド系繊維、ポリ乳酸、ポリブチレンサクシネート、ポリエチレンサクシネートなどの生分解性繊維などが用いられる。
【００２２】
なかでも風合いの観点から、ポリオレフィン系繊維であることが好ましい。例えば、ポリエチレン、ポリプロピレン、それらのモノマーと他のα−オレフィンとの共重合体などの樹脂から成る繊維が挙げられる。なかでも、強度が強く使用時において破断し難く、且つ衛生材料の生産時における寸法安定性に優れることから、ポリプロピレン繊維を用いることが好ましい。ポリプロピレンは、一般的なチーグラナッタ触媒により合成されるポリマーでもよいし、メタロセンに代表されるシングルサイト活性触媒により合成されたポリマーであってもよい。他のα−オレフィンとしては、炭素数３〜１０のものであり、具体的には、プロピレン、１−ブテン、１−ペンテン、１−ヘキサン、４−メチル−１−ペンテン、１−オクテンなどが挙げられる。また、エチレンランダム共重合ポリプロピレンでもよく、エチレン含有量は２％未満、好ましくは１％未満であることが好ましい。これらは１種類単独でも２種類以上を組み合わせてもよい。好ましくは１種類単独で用いることがよい。あるいはポリオレフィン系樹脂を表面層とする芯鞘繊維でもよい。また、その繊維形状も通常の円形繊維のみでなく、捲縮繊維および異形繊維などの特殊形態の繊維であってもよい。強度・寸法安定性の観点から、ホモポリプロピレンを主成分とするものであることが特に好ましい。
また、ポリプロピレンの場合、ＭＦＲとして下限が２０ｇ／１０分以上、好ましくは３０ｇ／１０分を超え、より好ましくは４０ｇ／１０分を超え、さらに好ましくは５３ｇ／１０分を超えるものである。上限は１００ｇ／１０分以下、好ましくは８５ｇ／１０分以下、より好ましくは７０ｇ／１０分以下、さらに好ましくは６５ｇ／１０分未満である。ＭＦＲがこの範囲にあると樹脂の流動性が良く、３％伸長時応力を低くすることができ不織布として柔軟性が良好であり、また不織布を安定に生産することができる。ＭＦＲは、ＪＩＳ−Ｋ７２１０「プラスチック−熱可塑性プラスチックのメルトマスフローレイト（ＭＦＲ）及びメルトボリュームフローレイト（ＭＶＲ）の試験方法」の表１、試験温度２３０℃、試験荷重２．１６ｋｇに準じて測定を行って求めた。
【００２３】
本発明の不織布を構成する熱可塑性繊維には、目的に応じて、核剤、難燃剤、無機充填剤、顔料、着色剤、耐熱安定剤、帯電防止剤などを配合してもよい。
【００２４】
熱可塑性繊維を接合して不織布を製造する際の接合手段としては、部分熱圧着法、熱風法、溶融成分での接合（ホットメルト剤）法、その他各種の方法が挙げられるが、強度の観点から、部分熱圧着法が好ましい。
【００２５】
本発明の不織布の部分熱圧着における熱圧着面積率は、強度保持及び柔軟性の点から、３％以上４０％以下であり、好ましくは４％以上２５％以下、より好ましくは４％以上２０％以下であり、さらに好ましくは５％以上１５％以下であり、そして最も好ましくは７％以下である。
【００２６】
また、本発明の部分熱圧着処理は、超音波法により又は加熱エンボスロール間にウェブを通すことにより行うことができ、これにより、表裏一体化され、例えば、ピンポイント状、楕円形状、ダイヤ形状、矩形状、斜め絣形状等の浮沈模様が不織布全面に散点する。生産性の観点から加熱エンボスロールを用いることが好ましい。
【００２７】
本発明の不織布を構成する熱可塑性繊維の平均単糸繊度は、０．５ｄｔｅｘ以上３．５ｄｔｅｘ以下であることが好ましく、より好ましくは０．７ｄｔｅｘ以上３．２ｄｔｅｘ以下であり、さらに好ましくは０．９ｄｔｅｘ以上２．８ｄｔｅｘ以下であり、最も好ましくは、２．５ｄｔｅｘ以下である。紡糸安定性の観点から、０．５ｄｔｅｘ以上であることが好ましく、繊度が細い程、不織布として糸の接着点が多くなるため強度が高く、柔軟性が良好となる。主として衛生材料に使用されるため、不織布の強力の観点から、３．５ｄｔｅｘ以下であることが好ましい。
【００２８】
本発明の不織布の目付は、８ｇ／ｍ２以上４０ｇ／ｍ２以下であり、好ましくは１０ｇ／ｍ２以上３０ｇ／ｍ２以下、より好ましくは１０ｇ／ｍ２以上２５ｇ／ｍ２以下、さらに好ましくは１０ｇ／ｍ２以上２３ｇ／ｍ２未満であり、そして最も好ましくは２０ｇ／ｍ２未満である。不織布の目付は薄ければ薄いほど柔軟性が良く、衛生材料として好適に使用することができるが、８ｇ／ｍ２以上であれば衛生材料に使用される不織布に要求される強力要件を満足し、一方、４０ｇ／ｍ２以下であれば、衛生材料に使用される不織布の柔軟性を満足し、外観的に厚ぼったい印象を与えない。
【００２９】
本発明の不織布の繊維配向の指標である分子配向度のＭＯＲ値は、１．０５以上２．０以下であることが必要で、好ましくは１．１以上２．０以下、より好ましくは１．１５以上１．７以下、更に好ましくは１．２以上１．７以下である。ＭＯＲ値が１．０５以上であれば、繊維配向が製造ラインの流れ方向となり、幅の寸法変化が非常に小さく衛生物品の加工適正が良好となる。また、ＭＯＲ値が２．０以下であると衛生材料に使用する際には横強度が十分に得られる。
【００３０】
本発明の不織布の３％伸長時応力は、２Ｎ／５ｃｍ以上１０Ｎ／５ｃｍ以下であることが必要で、好ましくは２Ｎ／５ｃｍ以上８Ｎ／５ｃｍ以下、より好ましくは２．５Ｎ／５ｃｍ以上７．５Ｎ／５ｃｍ以下である。３％伸長時応力が１０Ｎ／５ｃｍ以下であれば、衛生材料に使用される不織布としては柔軟性が良好であり、また、２Ｎ／５ｃｍ以上であれば、不織布を安定に生産することができる。
【００３１】
本発明の不織布のタテ／ヨコ強度比は１．５以上１０以下であり、好ましくは２．０以上１０以下、より好ましくは２．５以上８．５以下、さらに好ましくは３．０以上８．５以下である。タテ／ヨコ強度比が１．５以上であれば、幅の寸法変化が非常に小さく衛生材料の加工性（又は加工適正）が良好となり、衛生材料に使用される不織布の強度の観点からタテ／ヨコ強度比が１０以下であることが好ましい。あまりにタテ／ヨコ強度比を大きくすると衛生材料加工時に巻き取り張力が不織布の応力が低い箇所に集中するため破断することがある。
【００３２】
本発明の不織布の強度としては、衛生材料加工時の破断の観点から、最低限の強度が必要である。タテ破断強度は１０Ｎ／５ｃｍ以上１００Ｎ／５ｃｍ以下であることが好ましく、より好ましくは１０Ｎ／５ｃｍ以上８５Ｎ／５ｃｍ以下、さらに好ましくは１２Ｎ／５ｃｍ以上７０Ｎ／５ｃｍ以下である。ヨコ破断強度は１．２Ｎ／５ｃｍ以上５０Ｎ／５ｃｍ以下であることが好ましく、より好ましくは１．５Ｎ／５ｃｍ以上４０Ｎ／５ｃｍ以下、さらに好ましくは１．８Ｎ／５ｃｍ以上３０Ｎ／５ｃｍ以下である。破断強度がこの範囲にあると、衛生材料加工時に破断することがなく、良好に加工することができる。
【００３３】
本発明の不織布の繊維配列は、ウェブ積層時、繊維が移動捕集面に堆積される際のウェブの着地位置の製造ラインの流れ方向の距離であるタテパターン長を５０ｍｍ以上とすることで得られ、好ましくは６０ｍｍ以上４００ｍｍ以下であり、より好ましくは７５ｍｍ以上３００ｍｍ以下である。タテパターン長が５０ｍｍ以上であれば、幅の寸法変化が小さく、加工適正が良好となり、４００ｍｍ以下であれば、衛生材料に使用される強度を保持することができる。
【００３４】
本発明の幅の寸法変化は０％以上１０％以下であることが好ましく、より好ましくは０．１％以上９％以下、さらに好ましくは０．５％以上８％以下である。幅の寸法変化が１０％以下であれば、衛生材料の製造ラインにおいてシワの発生が抑えられ、安定に加工をするためには０％以上であることが好ましい。
【００３５】
本発明の不織布には、親水化剤を適用してもよい。かかる親水化剤としては、人体への安全性、工程での安全性等を考慮して、高級アルコール、高級脂肪酸、アルキルフェノール等のエチレンオキサイドを付加した非イオン系活性剤、アルキルフォスフェート塩、アルキル硫酸塩等のアニオン系活性剤等が単独で又は混合物として好ましく用いられる。
【００３６】
親水化剤の付与量は、要求される性能によって異なるが、通常は、繊維に対して０．１重量％以上１．０重量％以下の範囲が好ましく、より好ましくは０．１５重量％以上０．８重量％以下、さらに好ましくは０．２重量％以上０．６重量％以下である。付与量がこの範囲にあると、衛生材料のトップシートとしての親水性能を満足し、加工性も良好となる。
【００３７】
親水化剤を塗布する方法としては、通常、希釈した親水化剤を用いて、浸漬法、噴霧法、コーティング（キスコーター、グラビアコーター）法等の既存の方法を採用することができ、必要により予め混合した親水化剤を、水等の溶媒で希釈して塗布することが好ましい。
【００３８】
親水化剤を水等の溶媒で希釈して塗布すると、乾燥工程を必要とする場合がある。その際の乾燥方法としては、対流伝熱、伝導伝熱、放射伝熱等を利用した既知の方法を採用することができ、熱風や赤外線による乾燥や熱接触による乾燥方法等を用いることができる。
【００３９】
本発明の不織布には、柔軟化剤を適用してもよい。かかる柔軟化剤としては、エステル化合物が好ましく、より好ましくは３〜６価のポリオールとモノカルボン酸とのエステル化合物が挙げられる。
３〜６価のポリオールとしては、例えば、グリセリン、トリメチロールプロパン等の３価のポリオール、ペンタエリスリトール、グルコース、ソルビタン、ジグリセリン、エチレングリコールジグリセリルエーテル等の４価のポリオール、トリグリセリン、トリメチロールプロパンジグリセリルエーテル等の５価のポリオール、ソルビトール、テトラグリセリン、ジペンタエリスリトール等の６価のポリオール等が挙げられる。
【００４０】
モノカルボン酸としては、例えば、オクタン酸、ドデカン酸、テトラデカン酸、オクタデカン酸、ドコサン酸、ヘキサコサン酸、オクタデセン酸、ドコセン酸、イソオクタデカン酸等のモノカルボン酸、シクロヘキサンカルボン酸等の脂環式モノカルボン酸、安息香酸、メチルベンゼンカルボン酸等の芳香族モノカルボン酸、ヒドロキシプロピオン酸、ヒドロキシオクタデカン酸、ヒドロキシオクタデセン酸等のヒドロキシ脂肪族モノカルボン酸、アルキルチオプロピオン酸等の含イオウ脂肪族モノカルボン酸等が挙げられる。
【００４１】
エステル化合物は、単一成分である必要はなく、２種以上の混合物であっても、天然物由来の油脂類であってもよい。但し、不飽和脂肪酸を含むエステル化合物は酸化されやすく紡糸時に酸化劣化し易いため、飽和の脂肪族モノカルボン酸又は芳香族モノカルボン酸が好ましい。天然物由来の油脂類は、原料油に比べて、無臭で安定なため、水素添加したエステル化合物が好ましく用いられる。
【００４２】
エステル化合物としては、モノカルボン酸の分子量が比較的大きく、親油性が高いものが好ましい。親油性が高いことにより、熱可塑性繊維の非晶部に入り込み、結晶化を阻害して非晶領域が増加するため、曲げ柔軟度がより小さくなる効果が得られる。
かかる効果を得るためには、エステル化合物の融点は７０℃以上であることが好ましく、より好ましくは８０℃以上１５０℃以下である。エステル化合物の融点がブロードで、範囲を有する場合には、該融点は平均の融点を意味する。また、エステル化合物には、他の組成物、例えば、融点が７０℃未満のエステル化合物やその他の有機化合物が混合されていてもよい。
【００４３】
柔軟化剤としてのエステル化合物の含有率は、熱可塑性繊維に対し、０．３重量％以上５．０重量％以下であることが好ましい。エステル化合物は、少量の添加でも曲げ柔軟度や滑り易さが著しく向上し、含有量を増やしても含有量に見合った性能向上は見られない。そのため紡糸性及び発煙性を加味し、５．０重量％以下であることが好ましく、より好ましくは０．５重量％以上３．５重量％以下、さらに好ましくは０．５重量％以上２．０重量％以下である。
【００４４】
本発明の不織布の製造方法は、特に限定されないが、主に衛生材料に使用されるため、強度の観点から、スパンボンド（Ｓ）法であることが好ましく、ＳＳ、ＳＳＳ、ＳＳＳＳと積層することで分散が向上するため、より好ましい。また、目的に応じて、スパンボンド（Ｓ）繊維をメルトブローン（Ｍ）繊維と積層してもよく、ＳＭ、ＳＭＳ、ＳＭＭＳ、ＳＭＳＭＳと積層した構造であってもよい。
また、本発明の不織布の牽引方法は特に制限されるものではないが、ＭＯＲ値が高く、幅寸法変化が小さい不織布を得るには、エアジェットによる高速気流牽引装置を用いる方法が良く、矩形型の牽引装置を用いると更に良好となる。
【００４５】
本発明の不織布を構成する熱可塑性繊維の紡糸温度は、熱可塑性樹脂の融点からプラス３０℃以上１００℃以下、好ましくはプラス４０℃以上９５℃以下、より好ましくはプラス４５℃以上７０℃以下、さらに好ましくはプラス５０℃以上６５℃以下である。熱可塑性樹脂を２種類以上組み合わせる場合、主成分となる熱可塑性樹脂の融点を用いる。
例えば、熱可塑性樹脂がポリプロピレン樹脂であれば、１９０℃以上２６０℃以下、好ましくは２００℃以上２５５℃以下、より好ましくは２０５℃以上２３０℃以下、さらに好ましくは２１０℃以上２２５℃以下である。紡糸温度が２６０℃以下であれば、樹脂分解物による紡口表面の汚れが少なく、さらに樹脂の粘度が低くなることによる糸切れの発生を抑制することができる。また、紡糸温度が高いと、作製した不織布は樹脂分解物による影響のため、強度が低くなり、それに伴い３％伸長時応力も低くなり、加工時に破断しやすくなる傾向を示す。紡糸温度が１９０℃以上であれば、樹脂の粘度が高くなることによる糸切れの発生を抑制し、さらに紡糸時の紡口内圧力が高くなることによる樹脂漏れなどを抑制することができる。
【００４６】
本発明の不織布は、目的に応じて長繊維であっても、短繊維であっても特に限定されるものではないが、主に衛生材料に使用されるため、強度の観点から、長繊維不織布であることが好ましい。
【００４７】
本発明の不織布は幅の寸法変化が非常に少ないため衛生材料の製造に好適に使用することができ、衛生材料としては、使い捨てオムツ、生理用ナプキン又は失禁パットが挙げられ、それらの表面のトップシート、外側のバックシート、足回りのサイドギャザー等に好適に使用される。
また、本発明の不織布の用途は前記用途に限られず、例えば、マスク、カイロ、テープ基布、防水シート基布、貼布薬基布、救急絆基布、包装材、ワイプ製品、医療用ガウン、包帯、衣料、スキンケア用シートなどに使用することもできる。
【実施例】
【００４８】
以下、実施例及び比較例により本発明を具体的に説明するが、本発明は下記実施例のみに限定されるものではない。
尚、実施例及び比較例において使用した各種特性の評価方法は下記のとおりであり、得られた物性を以下の表１に示す。
【００４９】
１．平均単糸繊度（ｄｔｅｘ）
製造した不織布の両端１０ｃｍを除き、幅方向にほぼ５等分して１ｃｍ角の試験片をサンプリングし、顕微鏡で繊維の直径を各２０点ずつ測定し、その平均値から平均単糸繊度を算出した。
【００５０】
２．目付（ｇ／ｍ２）
ＪＩＳ−Ｌ１９０６に準じ、タテ２０ｃｍ×ヨコ５ｃｍの試験片を任意に５枚採取して質量を測定し、その平均値を単位面積当たりの重量に換算して求めた。
【００５１】
３．タテ／ヨコ強度比及び３％伸長時応力（Ｎ／５ｃｍ）
ＪＩＳ  Ｌ−１９０６に準じ、不織布の布帛試料の両端１０ｃｍを除き、幅方向均等になる様に、幅５ｃｍ、長さ２０ｃｍの試料を５点切り取り、引張試験機で、つかみ間隔１０ｃｍ、引張速度３０ｃｍ／分で測定した。タテ・ヨコ方向各５点の試料を測定し、測定値を平均してタテ方向の破断強度とヨコ方向の破断強度を算出した。３％伸長時応力はタテ・ヨコ方向の測定値を平均して算出した。タテ／ヨコ強度比を、以下の式により算出した。
タテ／ヨコ強度比＝タテ方向の破断強度（Ｎ／５ｃｍ）／ヨコ方向の破断強度（Ｎ／５ｃｍ）
【００５２】
４．分子配向度（ＭＯＲ値）
分子配向計（王子計測機器（株）製）ＭＯＡ−６００４を用いて、試料に偏波したマイクロ波をあて、繊維の分子の双極子との相互作用により、その分子の主軸の配向を検知し、試料を回転することで異方性（配向性）が求められ、ＴＤとＭＤ方向の透過マイクロ波の強度を得た。透過マイクロ波強度のＭａｘ／Ｍｉｎ値＝ＭＯＲ値を求めた。このＭＯＲ値はウェブ中の繊維の配列比に関連する値であり、値が１の場合は等方性を示し、１以上であれば特定方向に繊維が配列されていることを示し、値が大きい程その配列の程度が強いことを示す。ただし、透過強度による測定のため配向の絶対値を示すものではない。
【００５３】
５．幅の寸法変化
不織布の布帛試料を幅３０ｃｍ×長さ１ｍにカットし、試料の一端は両面テープで固定し、もう一方は荷重を掛けられるように冶具（重量２３１．５ｇ）を貼り付けておく。試料の両面テープから長さ方向８０ｃｍの位置を表面クロムメッキのフリーロール（φ８０）に抱かせ、下方向に荷重をかけられる様にセットし、重量２ｋｇの重りを吊り下げる。３０秒後に試料の両面テープから長さ方向５０ｃｍの位置の幅を測定し、以下の式により幅の寸法変化を算出した。
寸法変化（％）＝〔荷重セット前の幅（ｍｍ）−２ｋｇ荷重セット後の幅（ｍｍ）〕／荷重セット前の幅（ｍｍ）×１００
【００５４】
６．巻き取り張力による幅入り加工性（加工適正）
幅１ｍの不織布試料をライン速度２００ｍ／ｍｉｎ、張力７ｋｇ／ｍで当業者に知られている通常の巻き取り方法によって巻き取り、シワの発生度合いを以下の評価基準に従って評価した：
◎：シワの発生がない
○：ライン方向に凹凸シワが発生
×：ライン方向に折れシワが発生又は破断する
【００５５】
〔実施例１〕
ＭＦＲが６０ｇ／１０分（ＪＩＳ−Ｋ７２１０に準じ、温度２３０℃、荷重２．１６ｋｇで測定）のポリプロピレン樹脂をスパンボンド法により、ノズル径φ０．４ｍｍ、単孔吐出量０．５６ｇ／ｍｉｎ・Ｈｏｌｅ、紡糸温度２１５℃で押出し、このフィラメント群をエアジェットによる高速気流牽引装置を使用して牽引し、タテパターン長１１０ｍｍになる様に移動捕集面に向けて押し出し、平均単糸繊度１．５ｄｔｅｘの長繊維ウェブを調製した。
【００５６】
次いで、得られたウェブを、フラットロールとエンボスロール（パターン仕様：直径０．４２５ｍｍ円形、千鳥配列、横ピッチ２．１ｍｍ、縦ピッチ１．１ｍｍ、圧着面積率６．３％）の間に通して温度１３５℃と線圧３５ｋｇｆ／ｃｍで繊維同士を接着し、目付１７ｇ／ｍ２の長繊維不織布を得た。
【００５７】
〔実施例２〕
単孔吐出量０．９０ｇ／ｍｉｎ・Ｈｏｌｅ、タテパターン長を２５０ｍｍとし、実施例１と同様にして平均単糸繊度２．０ｄｔｅｘ、目付１１ｇ／ｍ２の長繊維不織布を得た。
【００５８】
〔実施例３〕
タテパターン長を７５ｍｍとし、実施例１と同様にして平均単糸繊度１．１ｄｔｅｘ、目付２５ｇ／ｍ２の長繊維不織布を得た。
【００５９】
〔実施例４〕
タテパターン長を１５０ｍｍとし、エチレン成分含有率が４．３モル％、ＭＦＲが２４ｇ／１０分（ＪＩＳ−Ｋ７２１０に準じ、温度２３０℃、荷重２．１６ｋｇで測定）のエチレン・プロピレンランダム共重合体を使用し、熱圧着温度を１２０℃とした以外は実施例１と同様にして平均単糸繊度１．１ｄｔｅｘ、目付１５ｇ／ｍ２の長繊維不織布を得た。
【００６０】
〔実施例５〕
タテパターン長を１５０ｍｍとし、ＭＦＲが１７ｇ／１０分（ＪＩＳ−Ｋ７２１０に準じ、温度１９０℃、荷重２．１６ｋｇで測定）の線状低密度ポリエチレンを鞘成分とし、ＭＦＲが６０ｇ／１０分（ＪＩＳ−Ｋ７２１０に準じ、温度２３０℃、荷重２．１６ｋｇで測定）のポリプレピレンを芯成分とし、熱圧着温度を１３２℃とした以外は実施例２と同様にして平均単糸繊度２．０ｄｔｅｘ、目付１９ｇ／ｍ２の長繊維不織布を得た。
【００６１】
〔実施例６〕
ＭＦＲが６０ｇ／１０分（ＪＩＳ−Ｋ７２１０に準じ、温度２３０℃、荷重２．１６ｋｇで測定）のポリプロピレン樹脂をスパンボンド法により、ノズル径φ０．４８ｍｍ、単孔吐出量０．３３ｇ／ｍｉｎ・Ｈｏｌｅ、紡糸温度２３０℃で押出し、このフィラメント群を冷風の押込み方式により牽引し、タテパターン長を７０ｍｍになる様に移動捕集面に向けて押し出し、平均単糸繊度１．１ｄｔｅｘの長繊維ウェブを調製した。
次いで、実施例１と同様にして繊維同士を接着し、目付１５ｇ／ｍ２の長繊維不織布を得た。
【００６２】
〔実施例７〕
単孔吐出量０．６６ｇ／ｍｉｎ・Ｈｏｌｅ、タテパターン長を６０ｍｍとし、実施例６と同様にして平均単糸繊度２．２ｄｔｅｘの長繊維ウェブを調製した。
次いで、得られたウェブを、フラットロールとエンボスロール（パターン仕様：斜め絣柄、圧着面積率１４％）の間に通して温度１３５℃と線圧３５ｋｇｆ／ｃｍで繊維同士を接着し、目付１７ｇ／ｍ２の長繊維不織布を得た。
【００６３】
〔実施例８〕
タテパターン長を１１０ｍｍとし、実施例２と同様にして平均単糸繊度２．５ｄｔｅｘ、目付１５ｇ／ｍ２の長繊維不織布を得た。得られた不織布を、室温２２℃の雰囲気下にて放電量４０Ｗ・ｍｉｎ／ｍ２（放電度４．０Ｗ／ｃｍ２）の条件でコロナ放電処理機に通し、濡れ張力３９ｍＮ／ｍの不織布を得た。
得られた不織布にポリエーテル系の親水化剤を噴霧法により付与し、次いで８０℃で５分間熱風乾燥し、親水剤濃度付着量が０．３重量％となる長繊維不織布を得た。
【００６４】
〔実施例９〕
タテパターン長１１０ｍｍとし、実施例８と同様にして平均単糸繊度２．８ｄｔｅｘ、目付１８ｇ／ｍ２の親水剤濃度付着量が０．５重量％となる長繊維不織布を得た。
【００６５】
〔実施例１０〕
タテパターン長６０ｍｍとし、実施例７と同様にして平均単糸繊度２．５ｄｔｅｘの長繊維ウェブを調製した。
次いで、実施例６と同様にして繊維同士を接着し、目付１７ｇ／ｍ２の長繊維不織布を得た。得られた不織布を、室温２２℃の雰囲気下にて放電量４０Ｗ・ｍｉｎ／ｍ２（放電度４．０Ｗ／ｃｍ２）の条件でコロナ放電処理機に通し、濡れ張力３９ｍＮ／ｍの不織布を得た。得られた不織布にポリエーテル系の親水化剤をキスコーター法により付与し、次いで、８０℃で５分間熱風乾燥し、親水剤濃度付着量が０．３重量％となる長繊維不織布を得た。
【００６６】
〔実施例１１〕
融点が８６〜９０℃（平均融点８８℃）のオクタデカン酸のグリセリド（水添動植物油脂）を１．２５重量％混合し、タテパターン長１１０ｍｍとし、実施例１と同様にして平均単糸繊度１．２ｄｔｅｘ、目付１７ｇ／ｍ２の長繊維不織布を得た。
【００６７】
〔実施例１２〕
オクタデカン酸のグリセリド（水添動植物油脂）を３．５０重量％混合し、タテパターン長を１１０ｍｍとし、実施例２と同様にして平均単糸繊度２．０ｄｔｅｘの長繊維ウェブを調整した。
次いで、得られたウェブを、フラットロールとエンボスロール（パターン仕様：斜め絣柄、圧着面積率１４％）の間に通して温度１３５℃と線圧３５ｋｇｆ／ｃｍで繊維同士を接着し、目付１５ｇ／ｍ２の長繊維不織布を得た。
【００６８】
〔実施例１３〕
汎用的なポリエチレンテレフタレート樹脂をスパンボンド法により、単孔吐出量０．９ｇ／ｍｉｎ・Ｈｏｌｅ、紡糸温度３００℃で押出し、このフィラメント群をエアジェットによる高速気流牽引装置を使用して牽引し、タテパターン長２５０ｍｍになる様に移動捕集面に向けて押し出し、平均単糸繊度２．０ｄｔｅｘの長繊維ウェブを調整した。
次いで、得られたウェブを、フラットロールとエンボスロール（パターン仕様：織目柄、横ピッチ２．０ｍｍ、縦ピッチ２．０ｍｍ、圧着面積１４．４％）の間に通して温度２３５℃と線圧３５ｋｇｆ／ｃｍで繊維同士を接着し、目付１２ｇ／ｍ２の長繊維不織布を得た。
【００６９】
〔比較例１〕
単孔吐出量０．２２ｇ／ｍｉｎ・Ｈｏｌｅ、タテパターン長を１１０ｍｍとし、実施例１と同様にして平均単糸繊度１．１ｄｔｅｘの長繊維ウェブを得た。次いで、得られたウェブを、フラットロールとエンボスロール（パターン仕様：直径０．４２５ｍｍ円形、千鳥配列、横ピッチ２．１ｍｍ、縦ピッチ１．１ｍｍ、圧着面積率６．３％）の間に通して温度１２５℃と線圧１５ｋｇｆ／ｃｍで繊維同士を接着し、目付１７ｇ／ｍ２の長繊維不織布を得た。
【００７０】
〔比較例２〕
単孔吐出量０．４０ｇ／ｍｉｎ・Ｈｏｌｅ、タテパターン長を３０ｍｍとし、実施例１と同様にして平均単糸繊度２．０ｄｔｅｘ、目付２０ｇ／ｍ２の長繊維不織布を得た。
【００７１】
〔比較例３〕
タテパターン長を１１０ｍｍとし、実施例１と同様にして平均単糸繊度１．１ｄｔｅｘの長繊維ウェブを得た。
得られたウェブを、フラットロールとエンボスロール（パターン仕様：織目柄、横ピッチ２．０ｍｍ、縦ピッチ２．０ｍｍ、圧着面積１４．４％）の間に通して温度を１４８℃で線圧を５０ｋｇｆ／ｃｍとし、目付１７ｇ／ｍ２の長繊維不織布を得た。
【００７２】
〔比較例４〕
タテパターン長を５００ｍｍとし、実施例２と同様にして平均単糸繊度２．８ｄｔｅｘ、目付１１ｇ／ｍ２の長繊維不織布を得た。
【００７３】
【表１】
0005731948.tif 000002
【産業上の利用可能性】
【００７４】
本発明の熱可塑性繊維からなる不織布は、幅の寸法安定性が良く、柔軟性に優れ、さらに加工性も良い不織布であるため、衛生材料のトップシート、バックシート、サイドギャザーなどに好適に使用可能である。